(57)【要約】【課題】たとえば部品供給遅れなどの好ましくない事態が発生した場合の原因究明などを容易かつ迅速に行なうことが可能な部品供給システムを提供する。【解決手段】部品供給システムＳＹは、運搬車１の移動経路および停留の少なくとも一方に関する情報を含む運搬車移動情報を得るための運搬車移動状態検知手段４，５，Ｓｖと、運搬車１の移動場所およびその周辺の少なくとも一部の領域の動画を撮像可能なカメラ３と、前記動画および前記運搬車移動情報のデータを取得し、かつこれら動画および運搬車移動情報を関連付ける処理を実行可能なデータ処理装置２と、を備えている。【選択図】  図１
2019179303.tif 000002
【特許請求の範囲】
【請求項１】
製造ラインに所望の部品を運搬して供給するための運搬車を備えている、部品供給システムであって、
前記運搬車の移動経路および停留の少なくとも一方に関する情報を含む運搬車移動情報を得るための運搬車移動状態検知手段と、
前記運搬車に搭載され、または前記運搬車の移動経路周辺に設置され、かつ前記運搬車の移動場所およびその周辺のうちの少なくとも一部の領域の動画を撮像可能なカメラと、
前記動画および前記運搬車移動情報のデータを取得し、かつこれら動画および運搬車移動情報を関連付ける処理を実行可能なデータ処理装置と、
を備えていることを特徴とする、部品供給システム。
【請求項２】
請求項１に記載の部品供給システムであって、
前記データ処理装置は、前記運搬車移動情報またはこれに基づいて作成された情報を画面表示可能であるとともに、この画面表示された表示情報のうちのいずれかが選択され、または前記表示情報に対応した操作がなされたときには、前記動画の中から前記選択または操作に対応した動画を再生する処理を実行可能とされている、部品供給システム。
【発明の詳細な説明】
【技術分野】
【０００１】
本発明は、自動車などの製造ラインに所望の部品を運搬して供給するための手段として、運搬車を用いた部品供給システムに関する。
【背景技術】
【０００２】
たとえば、自動車工場などでは、製造ラインの各作業工程位置に必要な部品を適切なタイミングで適当量だけ供給する必要がある。そのため、部品の供給手段として、有人または無人の運搬車を利用し、部品を搬送する手段がよく採用されている（たとえば、特許文献１，２を参照）。
【０００３】
しかしながら、従来のシステムにおいては、次に述べるように、改善すべく余地があった。
【０００４】
すなわち、従来のシステムでは、製造ラインに供給すべき部品の識別や、部品の供給先の判断などを正確に行なうための手段が適宜講じられているものの、システムを実際に運用する場合には、様々な事態に原因し、部品の供給遅れが生じたり、あるいは運搬車が長時間にわたって停留したままになるといったことがあり得る。
【０００５】
これに対し、従来では、そのような事態が発生したとしても、その原因を早期にかつ適切に究明することは困難である。また、部品の供給遅れはともかくとして、運搬車の不当な停留などについては、そのような事態が発生したことすら判明しない場合もあり得る。これでは、システムにおける問題点を改善し、生産効率の向上などを図ることが難しい。
【先行技術文献】
【特許文献】
【０００６】
【特許文献１】特開２００７−２７２３０２号公報
【特許文献２】特開２００８−１５９０２号公報
【発明の概要】
【発明が解決しようとする課題】
【０００７】
本発明は、前記したような事情のもとで考え出されたものであり、たとえば部品供給遅れやその他の好ましくない事態が発生した場合の原因究明などを迅速に図り、生産効率の向上などを好適に図ることが可能な部品供給システムを提供することを、その課題としている。
【課題を解決するための手段】
【０００８】
上記の課題を解決するため、本発明では、次の技術的手段を講じている。
【０００９】
本発明により提供される部品供給システムは、製造ラインに所望の部品を運搬して供給するための運搬車を備えている、部品供給システムであって、前記運搬車の移動経路および停留の少なくとも一方に関する情報を含む運搬車移動情報を得るための運搬車移動状態検知手段と、前記運搬車に搭載され、または前記運搬車の移動経路周辺に設置され、かつ前記運搬車の移動場所およびその周辺のうちの少なくとも一部の領域の動画を撮像可能なカメラと、前記動画および前記運搬車移動情報のデータを取得し、かつこれら動画および運搬車移動情報を関連付ける処理を実行可能なデータ処理装置と、を備えていることを特徴としている。
ここで、動画および運搬車移動情報を関連付ける処理とは、なんらかのかたちでこれら
２種類の情報を関連付ける処理であればよい。たとえば、運搬車移動情報の特定の情報を指定すれば、それに対応した動画が選択されて再生されるような関連付けの他、前記２種類の情報のいずれかの内容を確認すべく一方を選択すれば、これにリンクしたかたちで他方の情報の内容も確認可能なように、それらのデータを関連付けたかたちでメモリ（同一または異なるメモリ）に記憶させるといった処理なども含まれる広い概念である。
【００１０】
このような構成によれば、たとえば部品の供給遅れや、運搬車が不当に停留するなど、正常ではない事態が発生した場合には、その旨を運搬車移動情報に基づいて的確に察知することができるばかりか、運搬車移動情報には、カメラによって撮像された動画の情報が関連付けられることによって、運搬車移動情報において正常ではないと判断された際の動画の情報をも参照し、正常ではない事態が発生した状況を素早く、適切に確認あるいは評価することができる。したがって、たとえば部品供給遅れやその他の好ましくない事態が発生した場合の原因究明などを迅速に図り、生産効率の向上などを好適に図ることが可能となる。
その他、本発明によれば、運搬車が有人運搬車である場合には、乗員の勤務態度が良好になるなどの効果も期待できる。
【００１１】
本発明の好ましい実施の形態においては、前記データ処理装置は、前記運搬車移動情報またはこれに基づいて作成された情報を画面表示可能であるとともに、この画面表示された表示情報のうちのいずれかが選択され、または前記表示情報に対応した操作がなされたときには、前記動画の中から前記選択または操作に対応した動画を再生する処理を実行可能とされている。
【００１２】
このような構成によれば、次のような効果が得られる。
すなわち、データ処理装置においては、運搬車移動情報またはこれに基づいて作成された情報を画面表示させることができるが、この表示情報のうちのいずれかを選択し、または表示情報に対応した操作を行なうと、それに対応した動画が再生される。したがって、カメラによって撮像された動画のうち、たとえば正常ではない事態が発生した時間帯の動画を素早く再生することが可能である。したがって、正常ではない事態が発生した原因の究明などの迅速化を促進する上で、より好ましいものとなる。
【００１３】
本発明のその他の特徴および利点は、添付図面を参照して以下に行なう発明の実施の形態の説明から、より明らかになるであろう。
【図面の簡単な説明】
【００１４】
【図１】本発明に係る部品供給システムの一例を示す概略図である。
【図２】図１に示す部品供給システムで用いられている通信端末の一例のハード構成を示すブロック図である。
【図３】図１および図２で示す通信端末で実行されるデータ処理手順の一例を示すフローチャートである。
【図４】図１および図２で示す通信端末で作業確認を行なう場合のデータ処理手順の一例を示すフローチャートである。
【図５】図１および図２で示す通信端末における画面表示の例を示す概略正面図である。
【発明を実施するための形態】
【００１５】
以下、本発明の好ましい実施の形態について、図面を参照して具体的に説明する。
【００１６】
図１に示す部品供給システムＳＹは、たとえば自動車工場内に設置されており、自動車生産用の少なくとも１つの製造ラインＬに部品９を供給するための有人の運搬車１、通信
端末２、動画撮像用のカメラ３、タグリーダ４、工場内に配された複数のＩＣタグ５、および情報管理端末６を備えている。
なお、製造ラインＬが設置された工場内には、無線ＬＡＮシステムが構築されており、情報管理端末６、通信端末２、カメラ３、タグリーダ４などの相互間においてワイヤレスデータ通信が可能とされている。無線ＬＡＮシステムは、たとえばＷｉ-Ｆｉネットワークシステムである。
【００１７】
運搬車１は、たとえば電気自動車であり、部品９を搭載した台車１０を牽引して走行可能である。製造ラインＬの所定箇所への部品９の供給は、たとえば台車単位で行なわれる。この運搬車１には、車速センサＳｖが設けられており、この車速センサＳｖからの信号が、通信端末２に無線送信可能である。運搬車１が停止した際には、車速センサＳｖからの速度検出信号がゼロとなるため、この信号に基づいて、運搬車１の所定時間以上の停留を判断することが可能である。したがって、車速センサＳｖは、本発明でいう運搬車移動状態検知手段の具体例に相当する。
【００１８】
タグリーダ４および複数のＩＣタグ５は、運搬車１の移動経路を検知するためのものであり、これらの組合せは、前記した車速センサＳｖと同様に、本発明でいう運搬車移動状態検知手段の具体例に相当する。タグリーダ４は、運搬車１に搭載されているのに対し、複数のＩＣタグ５は、運搬車１の移動経路に沿って適当な間隔で配置されており、運搬車１がＩＣタグ５に接近すると、タグリーダ４には、ＩＣタグ５が配置されている場所の情報を含む信号が送出される。タグリーダ４と通信端末２とは、その相互間で無線通信が可能であり、ＩＣタグ５からタグリーダ４に送出された信号に含まれた情報（位置情報）は、通信端末２に送信される。ＩＣタグ５は、部品供給元となる部品準備スペースＳａや、部品供給先に設けられ、運搬車１が部品準備スペースＳａや部品供給先に到達すると、その旨およびその時刻が判断できるようにされている。また、これ以外として、運搬車１の走行通路にもＩＣタグ５が適当な間隔で設けられており、運搬車１の移動経路をより詳細に判断できるようにされている。
【００１９】
カメラ３は、運搬車１に搭載されており、運搬車１の移動場所およびその周辺を連続して動画撮像可能である。好ましくは、このカメラ３は、運搬車１の全周囲の動画撮像が可能ないわゆる３６０°カメラである。このカメラ３によって撮像された動画のデータは、通信端末２に無線送信される。
【００２０】
通信端末２は、たとえばｉＰａｄ（登録商標）などのタブレット型の多機能端末を用いて構成されており、その基本的なハード構成自体は、既存のタブレット型の多機能端末と同様である。ただし、後述するデータ処理を行なわせるためのプログラムがインストールされている。具体的には、この通信端末２は、ＣＰＵなどを用いて構成されたデータ処理部２０、Ｗｉ-Ｆiなどの無線通信が可能な通信回路２１、ＲＯＭやＲＡＭなどを有する記憶部２２、液晶表示器などを利用した表示部２３、操作部２４、カメラ２５、スピーカ２６、およびカレンダ・クロック２７を具備しており、かつこれらが互いにバス接続された構成である。操作部２４は、タッチパネル方式が採用されており、表示部２３と組み合わされている。記憶部２２には、タグリーダ４、カメラ３、および車速センサＳｖから受けたデータの記憶領域２２ａ〜２２ｃが確保されている。
通信端末２は、本発明でいうデータ処理装置の一例に相当する。
【００２１】
情報管理端末６は、たとえばデスクトップあるいはノート型などのパーソナルコンピュータであり、工場内全般の種々の情報を管理するためのものである。好ましくは、通信端末２で入手したデータは、情報管理端末６に選択的に送信し、記憶させておくことが可能であり、通信端末２と同様に、後述する動画の再生などを行ない、部品供給作業の確認を行なうことが可能とされる。この情報管理端末６に、通信端末２と同様なデータ処理機能
をもたせることにより、この情報管理端末６を本発明でいうデータ処理装置とすることも可能である。
【００２２】
次に、前記した部品供給システムＳＹの作用、ならびに通信端末２で実行されるデータ処理手順の一例について、図３および図４に示すフローチャートを参照しつつ説明する。
【００２３】
まず、運搬車１を稼働させて部品供給作業を開始する際に、通信端末２において所定の操作を行なうと、通信端末２からカメラ３およびタグリーダ４への起動指令がなされる（Ｓ１：ＹＥＳ，Ｓ２）。すると、カメラ３からは撮像動画のデータ送信が開始され、これを通信端末２は順次記憶していく（Ｓ３，Ｓ４）。その際、撮像時刻のデータも付属される。一方、運搬車１がＩＣタグ５に接近し、タグリーダ４がＩＣタグ５から信号を受信すると、ＩＣタグ５の配置場所を示すデータ（位置データ）がタグリーダ４を介して通信端末２で受信され、このデータが、受信時刻のデータとともに通信端末２に記憶される（Ｓ５：ＹＥＳ，Ｓ６）。
【００２４】
また、通信端末２は、運搬車１の車速センサＳｖから送出される信号を継続して受信しており、この信号に基づき、運搬車１の移動、停止を判断し、たとえば運搬車１の走行が所定時間以上停止した状態（停留）が発生すると、その時間帯のデータを記憶するように構成されている（Ｓ７）。前記したような一連のデータ処理は、所定の終了操作がなされるまで実行され、終了時には、カメラ３やタグリーダ４がオフとされる（Ｓ８：ＹＥＳ，Ｓ９）。
なお、図３に示したフローチャートでは、ステップＳ４，Ｓ７が順次実行されているが、これらは同時並行処理されてもよいことは勿論である。また、ステップＳ５，Ｓ６の処理などは、別々のメモリを用いた処理とすることができる。
【００２５】
一方、製造ラインＬへの部品供給作業を終えた後、あるいは途中において、作業状況を確認する場合には、通信端末２の表示部２３に作業確認を選択するためのアイコンが表示され、これを選択操作すると（Ｓ１０，Ｓ１１：ＹＥＳ）、次のような処理（ステップ１２〜１６）が実行される。
【００２６】
すなわち、まず通信端末２の表示部２３には、たとえば図５に示すような画像Ｉが表示される（Ｓ１２）。
この画像Ｉは、動画関連画像Ｉａと、運搬車移動情報画像Ｉｂとに大別される。動画関連画像Ｉａは、カメラ３で撮像された動画が表示される動画再生画面７を構築している他、動画の再生や停止などの各種操作スイッチ７０や、動画の再生箇所を変更可能なスライダ７１なども構築している。
【００２７】
一方、運搬車移動情報画像Ｉｂは、運搬車１を利用した部品供給の作業内容の項目８ａ、所要時間の項目８ｂ、場所の項目８ｃ、および備考の項目８ｄなどを含む作業工程表８を示すものとされている。この作業工程表８で示された情報の殆どは、ＩＣタグ５および車速センサＳｖからの受信信号の内容に基づいて求められる。作業内容の項目８ａにおいて、「走行」以外の詳細な作業内容は、たとえば運搬車１の乗員が手入力してもよいし、あるいは別途実行される部品管理の情報などに基づいて自動入力されるようにしてもよい。備考の項目８ｄの一部に納品遅れの情報があるが、このような情報も前記と同様である。
【００２８】
運搬車移動情報画像Ｉｂは、運搬車１が停留した時期をスライダ７１に対応させて示すマークＭをも表示している。運搬車１の停留時間が長いほど、マークＭの横幅は広くなっている。運搬車１の停留の概念には、運搬車１が部品準備スペースＳａや、部品供給先に位置する場合を含む停留と、それらの場合を含まない停留とがあるが、いずれであってよ
く、またこれらを切替え表示させる構成とすることもできる。
【００２９】
通信端末２の表示部２３が前記したような表示態様である場合において、たとえば運搬車１の停留時間が長いと考えられる部分（符号Ｎａで示す部分）に、スライダ７１を合わせる操作を行なうと、動画再生画面７では、運搬車１が前記停留を開始した初期から動画の再生が開始される（Ｓ１３：ＹＥＳ，Ｓ１４）。この動画は、運搬車１が実際に存在する場所で撮像されたものであり、しかも運搬車１の全周囲を撮像したものである。したがって、この再生動画を確認することにより、運搬車１の停留時間が長くなった原因を迅速かつ的確に察知することが可能であり、そのことへの対応策を早期に講じることができる。
【００３０】
また、好ましくは、運搬車移動情報画像Ｉｂの作業工程表８のうち、いずれかの箇所をタップ操作すると、動画再生画面７では、そのタップ操作された作業工程の動画が直ちに再生されるように構成されている（Ｓ１５：ＹＥＳ，Ｓ１６）。このため、たとえば、納品遅れの表示がなされた部分をタップすると、この納品遅れを生じた作業の撮像動画が直ちに開始されることとなる。したがって、納品遅れの原因を素早く察知することができ、改善に役立つ。また、納品遅れなどの問題が生じていない作業についても、その作業に該当する箇所をタップすれば、その作業時の動画を即座に再生することができるため、各作業の個別の見直しなどを行なう場合にも便利である。
【００３１】
前記した一連のデータ処理と同様な処理は、通信端末２のみならず、情報管理端末６においても実行可能な構成とされる。また、工場内においては、複数の運搬車１が利用されるのが通例であり、この場合にはそれに対応して複数の通信端末２が用いられるが、これら複数の通信端末２によって得られた情報は、情報管理端末６を用いて集中管理する構成とすることもできる。
【００３２】
本発明は、上述した実施形態の内容に限定されない。本発明に係る部品供給システムの各部の具体的な構成は、本発明の意図する範囲内において種々に設計変更自在である。
【００３３】
上述の実施形態では、スライダ７１の表示箇所に運搬車１の停留時間が長かった時期を示すマークＭを表示させる手段と、作業工程表８の画像のいずれかをタップした場合にそれに対応する作業工程の動画を再生させる手段との２種類の手段が採用されているが、本発明においては、このような手段のうち、いずれか一方のみの手段が設けられた構成とすることも可能である。
また、前記以外の手段として、たとえば通信端末２の処理により、動画の中から運搬車１の停留時間が長い時間帯の画像や、納品遅れを生じた画像のみがリストアップされて編集され、かつこれら編集された画像を選択するためのアイコンが画面表示されることにより、ユーザにこのアイコンを選択操作させるようにしてもよい。
なお、スライダ７１の表示箇所に運搬車１の停留時間が長いことを示すマークＭを設ける構成に代えて、または加えて、たとえば納品遅れを生じたことや、あるいはこれ以外の事項を示すマークを表示させるようにしてもよい。
【００３４】
動画を撮像するためのカメラとしては、通信端末２とは別のカメラ３に代えて、または加えて、通信端末２に内蔵されたカメラ２５を用いることもできる。通信端末２を運搬車１に搭載しておけば、カメラ２５によって運搬車１の移動経路およびその周辺の動画撮像が可能である。また、カメラとしては、運搬車１に搭載されたものに限らず、運搬車１の移動経路周辺に設置されたものであってもよい。
本発明でいうデータ処理装置は、タブレット型の端末に限定されない。
運搬車は、有人・無人の種別を問わない。製造ラインは、自動車用に限定されない。したがって、部品の種類も問わない。
【符号の説明】
【００３５】
ＳＹ  部品供給システム
Ｓｖ  車速センサ（運搬車移動状態検知手段）
Ｌ  製造ライン
１  運搬車
２  通信端末（データ処理装置）
３  カメラ
４  タグリーダ（運搬車移動状態検知手段）
５  ＩＣタグ（運搬車移動状態検知手段）
９  部品
【図１】
2019179303.tif 000003
【図２】
2019179303.tif 000004
【図３】
2019179303.tif 000005
【図４】
2019179303.tif 000006
【図５】
2019179303.tif 000007